(57)【要約】【課題】十分な強度を保ちつつ始動性を向上させることができる発光装置を提供する。【解決手段】平面型ランプ２を絶縁性の複数の棒状部材１６で、筺体４の底面６ａから離間するように支持する。従って、棒状部材１６で平面型ランプ２を筺体４の底面６ａから離間させることによって不要な静電容量（浮遊容量）が加算されることを防止し、最適な整合条件を維持する。また、支持用の部材を棒状として実質的に点接触で平面型ランプ２を支持することによって、支持用の絶縁体が平板状電極と底面との間の誘電体として作用することを抑制する。これによって、不要な静電容量が加算されることを防止し、最適な整合条件を維持する。【選択図】図３
2010015825.tif 000002
【特許請求の範囲】
【請求項１】
誘電体によって平板状に形成される気密容器の内部空間に、電圧が印加されることにより発光する放電ガスが封入され、前記気密容器の前面側に、発生した光を出射可能とするように形成される前面側電極が設けられ、前記気密容器の背面側に、前記内部空間を介して前記前面側電極と対向する背面側電極が設けられることによって構成される平面型ランプと、
前記平面型ランプを収容すると共に、前記平面型ランプから出射した光を通過させる開口部が前記前面側電極側に形成され、前記平面型ランプを支持する支持部が前記背面側電極側に形成される筺体と、を備え、
前記支持部は、前記筺体の底面側から前記背面側電極へ向かって延び、前記平面型ランプを前記底面から離間するように支持する絶縁性の複数の棒状部材を有することを特徴とする発光装置。
【請求項２】
前記筺体の前記開口部には、前記気密容器を前記棒状部材へ押圧する押圧部材が設けられていることを特徴とする請求項１記載の発光装置。
【請求項３】
前記棒状部材は、前記押圧部材に対して前記気密容器を付勢することを特徴とする請求項２記載の発光装置。
【請求項４】
前記背面側電極は、電極板によって構成されており、前記気密容器の前記背面に直接接触することを特徴とする請求項１〜３のいずれか一項記載の発光装置。
【請求項５】
前記背面側電極の背面側には放熱部材が設けられていることを特徴とする請求項１〜４のいずれか一項記載の発光装置。
【請求項６】
前記背面側電極の前記背面と前記放熱部材との間には絶縁部材が配置されていることを特徴とする請求項５記載の発光装置。
【発明の詳細な説明】
【技術分野】
【０００１】
本発明は、放電ガスが封入された平面型ランプを備える発光装置に関するものである。
【背景技術】
【０００２】
従来の発光装置として、一対のガラス板による密閉空間に放電ガスを封入することで構成される平面型蛍光ランプと、平面型蛍光ランプの前面の両端部に設けられた一対の電極と、その電極に電気的に接続された一対の給電部材と、平面型蛍光ランプを収容すると共に給電部材を電極に押圧する筺体とを有するものが知られている（例えば、特許文献１参照）。この発光装置によれば、給電部材を介して電極に高周波の電圧を印加することによって平面型蛍光ランプを発光させている。
【特許文献１】特開２００７−３１６３８８号公報
【発明の開示】
【発明が解決しようとする課題】
【０００３】
ここで、上述のような平面型ランプを用いた発光装置においては、放電空間内に電極を有さないために、その始動性に問題があった。そして、始動性を向上させるためにはトリガ電極を設けることが考えられる。このような発光装置では、始動時において、トリガ電極にトリガ電圧を印加することによって、ランプに印加される高周波電圧が低くても始動性良くランプを点灯させることができる。しかしながら、トリガ電極を用いた発光装置にあっては、平面型ランプの取り出し光量を増加させるためにガラス板の厚さを薄くした場合、トリガ電極の取付部分が十分な機械的強度を保てずに、そこから亀裂が発生してしまう可能性があった。従って、トリガ電極を用いず十分な機械的強度を保った状態で始動性を向上させることのできる発光装置が求められていた。
【０００４】
本発明は、このような問題を解決するためになされたものであり、十分な機械的強度を保ちつつ始動性を向上させることができる発光装置を提供することを目的とする。
【課題を解決するための手段】
【０００５】
本発明に係る発光装置は、誘電体によって平板状に形成される気密容器の内部空間に、電圧が印加されることにより発光する放電ガスが封入され、気密容器の前面側に、発生した光を出射可能とするように形成される前面側電極が設けられ、気密容器の背面側に、内部空間を介して前面側電極と対向する背面側電極が設けられることによって構成される平面型ランプと、平面型ランプを収容すると共に、平面型ランプから出射した光を通過させる開口部が前面側電極側に形成され、平面型ランプを支持する支持部が背面側電極側に形成される筺体と、を備え、支持部は、筺体の底面側から背面側電極へ向かって延び、平面型ランプを底面から離間するように支持する絶縁性の複数の棒状部材を有することを特徴とする。
【０００６】
この発光装置では、平面型ランプを絶縁性の複数の棒状部材で、筺体の底面から離間するように支持することができる。このように、棒状部材で平面型ランプを筺体の底面から離間させることによって、背面側電極と底面との間に発生する不要な静電容量（浮遊容量）が平面型ランプ自体の静電容量に加算されることを抑制し、電源と平面型ランプとの間の最適な整合条件を維持することができる。また、支持用の絶縁体を棒状として実質的に点接触で平面型ランプを支持することによって、支持用の絶縁体が背面側電極と底面との間の誘電体として作用してしまうことを抑制できる。これによって、不要な静電容量が加算されることを抑制し、最適な整合条件を維持することができる。以上により、最適な整合条件を維持することにより平面型ランプを円滑に点灯させることが可能となり、トリガ電極を用いずに十分な機械的強度を保ちつつ始動性を高めることができる。
【０００７】
また、本発明に係る発光装置において、筺体の開口部には、気密容器を棒状部材へ押圧する押圧部材が設けられていることが好ましい。押圧部材で押圧することによって、気密容器を押圧部材と棒状部材とで確実に固定させることができる。
【０００８】
また、本発明に係る発光装置において、棒状部材は、押圧部材に対して気密容器を付勢することが好ましい。棒状部材で付勢することによって、気密容器を押圧部材と棒状部材とでより確実に固定させることができる。
【０００９】
また、本発明に係る発光装置において、背面側電極は、電極板によって構成されており、気密容器の背面に直接接触することが好ましい。例えば、気密容器の背面に金属蒸着によって形成された電極層を介して高周波電圧を印加する場合は、電極層の剥離などの問題が生じるが、背面に電極板を直接接触させる構成とすることによって、剥離などを生じることなく電極板から直接放電ガスに高周波電圧を印加することができる。
【００１０】
また、本発明に係る発光装置において、背面側電極の背面側には放熱部材が設けられていることが好ましい。放熱部材で背面側電極の放熱を行うことによって、平面型ランプの温度を下げて発光効率を確保することができる。
【００１１】
また、本発明に係る発光装置において、背面側電極の背面と放熱部材との間には絶縁部材が配置されていることが好ましい。背面側電極と放熱部材との間に平板状の絶縁部材を配置することによって、放熱部材に高周波電圧が印加されることを防止することができる。
【発明の効果】
【００１２】
本発明に係る発光装置によれば、十分な機械的強度を保ちつつ始動性を向上させることができる。
【発明を実施するための最良の形態】
【００１３】
以下、本発明に係る発光装置の好適な実施形態について、図面を参照して詳細に説明する。
【００１４】
図１は本発明の実施形態に係る発光装置の斜視図である。図１に示すように、発光装置１は、円板状の平面型ランプ２を上下面が正方形状の筺体４内に収容すると共に、筺体４の上蓋８の中央部に円形の開口部を形成して、平面型ランプ２の出射面を露出させることによって構成されている。この発光装置１は、平面型ランプ２の内部に封入される放電ガスに高周波電圧を印加することによって発光させ、発生した光を開口部から取り出すことができる装置である。筺体４の開口部には、平面型ランプ２の外縁部を覆うように円環状の枠状部材９が取り付けられており、筺体４の側壁には、筺体４内を冷却するためのファン１４が設けられている。
【００１５】
図２は、図１に示す発光装置の分解斜視図である。図２に示すように、平面型ランプ２は、石英ガラスなどの出射光に対して透明な誘電体により円板状に形成される気密容器２２と、気密容器２２の前面２２ｂの略全体にわたって形成されるメッシュ状の光通過電極（前面側電極）１０と、気密容器２２の背面２２ｃの略全面と対向して背面２２ｃと接触する円板状の平板状電極（背面側電極）３とを備えて構成されている。この平面型ランプ２の平板状電極３と光通過電極１０とは、放電ガスが封入された内部空間を介して互いに対向している。従って、光通過電極１０をグランド電位（接地電位）とし、平板状電極３及び光通過電極１０の間に高周波電圧を印加することによって内部空間の放電ガスを発光させ、発生した光を気密容器２２の前面２２ｂ側から出射させることができる。なお、高周波電圧とは１ＭＨｚ以上の周波数を有する交流電圧である。
【００１６】
平面型ランプ２の気密容器２２は、出射光に対して透明な、一対の円板状のガラス基板を所定の間隔で向かい合わせて周縁部同士を周面壁で封着することによって形成されており、その内部空間にはＸｅガスなどの放電ガスが封入される。気密容器２２の背面２２ｃには、製造時に内部空間を排気すると共に放電ガスを封入するために使用したチップ管２２ｄが残存する（図５参照）。また、気密容器２２の内部空間には、排気時の大気圧や、放電時の温度上昇による放電ガスの圧力上昇に耐えるために複数のスペーサ２２ａが設けられている（図４参照）。
【００１７】
気密容器２２の前面２２ｂに形成される光通過電極１０は、金属蒸着によって形成されており、前面２２ｂの外縁部を除いて、ほぼ全面に形成される。より詳細には、光通過電極１０は、前面２２ｂの外縁部に沿って円環状に形成される環状部１０ａと、環状部１０ａの内側領域で網状に形成されたメッシュ部１０ｂとを有している。光通過電極１０は、前面２２ｂの略全面にわたって網状に形成されているため、内部空間で発生した光を前面２２ｂから出射可能としている。なお、光通過電極１０自体を透光性の材料で形成することによって、光を出射可能としてもよい。
【００１８】
気密容器２２の背面２２ｃ側の平板状電極３は、平面型ランプ２の陽極として機能するものであり、平面型ランプ２とは別体に設けられている。平板状電極３は、気密容器２２のガラス面である背面２２ｃと直接接触しており、平板状の金属板であるために電極の剥離と言った問題が生じ難い。また、平板状電極３は、光通過電極１０の環状部１０ａと略同一の外径を有するアルミニウム製の円板によって構成されている。つまり、光通過電極１０及び平板状電極３ともに、気密容器２２の前面２２ｂ及び背面２２ｃの外縁部を除いて配置されている。よって、両電極間の沿面距離を確保することができ、両電極間の沿面放電を防止することができる。平板状電極３は、気密容器２２と中心軸線が一致するように、気密容器２２の背面２２ｃに接触配置される。この平板状電極３には、外縁部に高周波電源と接続された配線１５が取り付けられており、気密容器２２のチップ管２２ｄに対応する位置に当該チップ管２２ｄを回避するための貫通孔３ｂが形成されている。気密容器２２との接触面となる前面３ａには、気密容器２２内部で発生した光を前面２２ｂ側に反射させるために、鏡面加工が施されている。なお、平板状電極３の鏡面加工に代えて、気密容器２２の背面２２ｃにアルミニウム等の金属蒸着によって直接電極層兼反射鏡を形成し、平板状電極３を電極層に給電するための給電部材として用いてもよい。
【００１９】
このように構成された平面型ランプ２においては、例えば、外径約３００ｍｍ、厚み約２ｍｍの一対の合成石英ガラスの間に約５ｍｍの放電距離を確保してＸｅガスを封入した場合、静電容量が約１００ｐＦであり、その放電条件の一例としては、点灯周波数が２０５０ｋＨｚ（約２ＭＨｚ）、ランプ放電電圧が約６ｋＶｐ−ｐ、ランプ電圧が約３ｋＶｐ-ｐとなる。
【００２０】
平面型ランプ２を収容する筺体４は導電性材料からなり、上面側が開放された底面正方形状のアルミニウム製のケース６の内部に、ケース６の底板と中心軸線が一致するように平面型ランプ２を配置し、正方形板状の上蓋８を上方から被せることによって構成されている。この上蓋８には、平面型ランプ２と中心軸線が一致すると共に、平面型ランプ２よりも大きな径を有する開口部８ａが形成されている。この開口部８ａには、平面型ランプ２を上方から押圧するための枠状部材９が嵌め込まれる。また、筺体４のケース６内部の底板側には、収容した平面型ランプ２を支持及び位置決めするための支持ベース７が設けられている。
【００２１】
上蓋８の開口部８ａに嵌め込まれる円環状の枠状部材（押圧部材）９は、アルミニウムなどの導電性材料によって形成されており、その外周側の径が開口部８ａの内径と同一とされると共に、内周側の径が光通過電極１０の環状部１０ａの内径と略同一とされている。この枠状部材９の下面側には、内周側よりも外周側が厚肉となるように、平面型ランプ２より大きな径を有する段差部９ａが設けられている（図４参照）。
【００２２】
ケース６の内部に設けられた支持ベース７は、ケース６の底面を覆うようにして配置される略正方形状のベース板５と、そのベース板５の四隅に設けられ、平面型ランプ２の平面方向の位置決めを行うための支持部材１１と、ベース板５上に所定の間隔で複数箇所に設けられ、平面型ランプ２を下方から支持する弾性支持部１２とを備えて構成されている。
【００２３】
ケース６の底面を覆うベース板５は、中心軸線が一致するようにケース６の底面と対向するように配置されている。このベース板５は、エキシマランプなどの放熱が必要なランプを使用する場合は、金属などの熱伝導性の高い部材で形成されることによって、平面型ランプ２周辺の放熱性を確保することができる。一方、水銀ランプなどの保温が必要なランプを使用する場合は、ベース板５を断熱部材で形成することによって、平面型ランプ２周辺の保温性を確保することができる。
【００２４】
図３は支持部材の拡大斜視図である。図３に示すように、ベース板５の四隅の支持部材１１は、セラミックスなどからなる略直方体状の絶縁部材によって構成されており、絶縁部材の一の側面がベース板５の中心軸線側へ向くようにそれぞれ配置されている。支持部材１１の上面の一部には、ベース板５の中心軸線を取り囲むような壁部を立設させることによって、平面型ランプ２の位置決めを行うためのストッパ１１ｂが形成される。このストッパ１１ｂは、中心軸線を取り囲むような緩やかな円弧状に形成されており、その内周面の円弧の径は、平面型ランプ２の気密容器２２の外径よりもわずかに大きくされ、外周面の円弧の径は、枠状部材９の下面側の段差部９ａの内径と同一とされている（図４参照）。また、ストッパ１１ｂの内周面には周方向に延びる溝部が上下方向に複数形成されている。
【００２５】
支持部材１１の上面のうち、ストッパ１１ｂよりも内周側の領域は平面型ランプ２を載置するための載置部１１ａとされ、ストッパ１１ｂよりも外周側の領域は枠状部材９を螺合させるための座面１１ｃとされている。内周側の載置部１１ａは、周方向の中央位置に長方形状の切欠部１１ｅが形成されることによって、周方向の両端部の二箇所のみで平面型ランプ２と接触可能とされている。また、外周側の座面１１ｃには枠状部材９と電気的に接続される平板状のグランド端子１１ｄが設けられている。このグランド端子１１ｄは、上面側にネジ孔１１ｆを有すると共に、支持部材１１の外周側の側面に沿って下方にＬ字状に屈曲する屈曲部分を有しており、この屈曲部分で側面に螺合されることによって固定されている（図４参照）。この螺合部分には配線が同時に固定されており、グランド端子１１ｄは、配線を介して高周波電源のグランド端子と電気的に接続されている。
【００２６】
図４は、図１のIV−IV線に沿う断面図であり、平面型ランプの一端側を拡大して示す図である。図４に示すように、発光装置１の内部において、支持ベース７のベース板５は、スペーサ１３を介することによって、ケース６の底面６ａから離間して配置されている。また、ベース板５の隅部に設けられた支持部材１１の載置部１１ａには、平面型ランプ２の平板状電極３が載置されている。載置部１１ａは、周方向の両端部のみで平板状電極３と接触可能な構成とされているため（図３参照）、支持部材１１と平面型ランプ２との接触部分の面積は極力小さくされている。載置された平面型ランプ２は、周面２２ｅが支持部材１１のストッパ１１ｂの内周面と対向するように配置されており、このストッパ１１ｂの内周面によって平面方向の移動が規制されている。なお、ストッパ１１ｂの内周面に形成されている複数の溝部によって、平面型ランプ２の周面２２ｅとストッパ１１ｂの内周面が接触している場合でも、平面型ランプ２の光通過電極１０と平板状電極３との間の沿面放電を抑制することができる。
【００２７】
ストッパ１１ｂの外周側の座面１１ｃには、上蓋８の開口部８ａに嵌め込まれた枠状部材９が載置されている。この枠状部材９は、外周側が厚肉に形成されると共に内周側が薄肉部分に形成されており、外周側の厚肉部分の下面は、座面１１ｃのグランド端子１１ｄと接触している。また、枠状部材９の内周側の薄肉部分は、ストッパ１１ｂの上面と平面型ランプ２の外縁部を覆うと共に、下面側で平面型ランプ２の光通過電極１０の環状部１０ａと接触している。これによって、枠状部材９は、グランド端子１１ｄと平面型ランプ２の光通過電極１０とを電気的に接続するための通電部材として機能する。また、この枠状部材９は、上方からボルト２５を貫通させてネジ孔１１ｆにねじ込むことによって支持部材１１に螺合されており、これによって、平面型ランプ２を下方（平板状電極３側）へ押圧することができる。なお、枠状部材９は、図示されない他の３箇所の支持部材１１に対しても螺合されている。
【００２８】
ベース板５には、支持部材１１から平面方向に所定の間隔で離間するように、弾性支持部１２が設けられている。この弾性支持部１２は、ベース板５に固定されるボス部１７のガイド孔に、上方へ延びる棒状部材１６を装填することによって構成されている。ボス部１７は、その中央部で上下方向に貫通するガイド孔を有しており、ベース板５を貫通するように上面側からねじ込むことによってベース板５に固定されると共に、ガイド孔の下端を封鎖するためのキャップ１７ａをベース板５の下面側に設けることによって構成されている。
【００２９】
棒状部材１６は、底面６ａ側から上方の平板状電極３へ向かって略垂直に延び、平面型ランプ２を底面６ａから離間するように支持するものであり、平板状電極３を底面６ａから２０ｍｍ程度離間させている。この棒状部材１６は、外径約６ｍｍ程度のセラミックスなどの絶縁体によって形成されており、その上端部は縮径して先細となっている。従って、平板状電極３の背面全体の面積に対して、棒状部材１６の先端部分の面積を極めて小さくすることができるため、棒状部材１６は、平板状電極３を実質的に点接触で支持することができる。また、ボス部１７のガイド孔の底部には棒状部材１６に弾性力を付与する弾性部材としての圧縮バネ１８が配置されているため、棒状部材１６は、平面型ランプ２の気密容器２２の背面２２ｃに平板状電極３を付勢することができる。なお、弾性支持部１２は平面型ランプ２をバランスよく支持できるように複数設けられているが、少なくとも３本設けられている必要があり、１０本程度設けられることが好ましい。
【００３０】
ここで、本発明の発光装置１の回路構成について説明する。図５は、本発明の実施形態に係る発光装置の回路構成を示す概略図である。
【００３１】
図５に示すように、発光装置１の平板状電極３は整合回路２１を介して高周波電源２０の高圧端子と電気的に接続され、光通過電極１０は整合回路２１を介して高周波電源２０のグランド端子と電気的に接続されている。整合回路２１は、インダクタやコンデンサを組み合わせて構成されるものであり、高周波電源２０側の出力インピーダンスと負荷インピーダンスとを合わせるように、平面型ランプ２のインピーダンスを整合する機能を有するものである。整合条件を合わせることによって、高周波電源２０から電力を供給したときの反射電力を小さくすることができ、これによって平面型ランプ２に十分な高周波電圧を印加して点灯させることができる。
【００３２】
次に、本実施形態に係る発光装置１の作用・効果について説明する。
【００３３】
図６は、トリガ電極４５を有する平面型ランプ４１を用いた従来の発光装置の回路構成を示す概略図である。発光装置４０は、平板状電極４３と筺体の壁面４６が近接しているため、整合回路の整合条件を平面型ランプ４１に合わせたとしても、平板状電極４３と筺体との間の静電容量（浮遊容量）が平面型ランプ４１自体の静電容量に加算され最適な整合条件が崩れてしまう。従って、反射電力が大きくなってしまうことによって、高周波電圧を十分昇圧した状態で印加することができず、平面型ランプ４１が点灯しない可能性があり始動性に問題があった。特に、平面型ランプ４１自体の静電容量は微小であるため、加算される静電容量の影響は大きくなる。そこで、発光装置４０では、始動性を向上させるために、図６に示すように、気密容器４２の背面４２ｂに、白金箔を石英ガラスでピンチシールしたトリガ電極４５を設け、トリガ回路４７と電気的に接続させたものが用いられている。このような発光装置４０では、始動時においてトリガ電極４５にトリガ電圧を印加することで、平面型ランプ４１に印加される高周波電圧が低くても点灯させることができる。しかしながら、トリガ電極４５を用いた発光装置４０にあっては、平面型ランプ４１の取り出し光量を増加させるためにガラス板の厚さを薄くした場合、トリガ電極４５の取り付け部分が十分な機械的強度を保てずに、そこから亀裂が発生してしまう可能性があった。また、放電がトリガ電極４５に入り込んでしまい、当該部分における放電が不安定になってしまい安定性を欠く可能性があった。
【００３４】
一方、本実施形態に係る発光装置１においては、図４に示すように、平面型ランプ２を絶縁性の複数の棒状部材１６で、筺体４の底面６ａから離間するように支持することができる。従って、棒状部材１６で平面型ランプ２を筺体４の底面６ａから離間させることによって、平板状電極３と底面６ａとの間の静電容量（浮遊容量）を小さくすることができる。これによって、平面型ランプ２自体の静電容量に不要な静電容量が加算されることを抑制し、最適な整合条件を維持することができる。また、セラミックスなどの絶縁体の誘電率は空気よりも大きく、誘電体として作用してしまうため、支持用の絶縁体の支持面積が大きい場合は静電容量が加算されてしまう可能性があるが、支持用の部材を棒状として実質的に点接触で平面型ランプ２を支持することによって、不要な静電容量が加算されることを抑制し、最適な整合条件を維持することができる。以上によって、平面型ランプ２を円滑に点灯させることが可能となり、トリガ電極を用いることなく十分な機械的強度を保ちつつ始動性を高めることができる。
【００３５】
また、筺体４の開口部８ａに設けられた枠状部材９は、棒状部材１６に対して気密容器２２を押圧することによって、発光装置１内で平面型ランプ２を確実に固定することができる。更に、平面型ランプ２の気密容器２２を下方へ押圧することによって、気密容器２２の背面２２ｃと平板状電極３とを確実に接触させることもできる。
【００３６】
また、棒状部材１６が、枠状部材９に対して気密容器２２を付勢することができるため、発光装置１内で平面型ランプ２を確実に固定することができる。更に、気密容器２２の背面２２ｃに平板状電極３を付勢することができるため、平板状電極３を背面２２ｃに密着させることができる。また、製造誤差などによってそれぞれの棒状部材１６の長さが若干異なるものとなってしまった場合であっても、各棒状部材１６の底部に配置された圧縮バネ１８の圧縮量の変化によって全ての棒状部材１６が平板状電極３に接触して付勢することができる。以上によって、平板状電極３を気密容器２２の背面２２ｃに確実に接触させることができる。また、棒状部材１６の圧縮バネ１８は、平面型ランプ２への過剰な押圧力を吸収し、気密容器２２の破損を抑制することもできる。
【００３７】
本発明は、上述した実施形態に限定されるものではない。
【００３８】
例えば、本実施形態に係る発光装置１では、棒状部材１６で平板状電極３を直接支持していたが、図７に示すように、平板状電極３の背面３ｃ側に放熱部材３２が設けられていてもよい。放熱部材３２は、例えば、平板状電極３の背面３ｃと対面して設けられた円形のアルミニウム板の下面に、複数のフィンを並設することによって構成されている。このように構成された放熱部材３２のフィンに対してファン１４で風を送り込むことによって、平面型ランプ２を冷却することができる。これによって、平面型ランプ２の温度を下げて発光効率を確保することができる。なお、平面型ランプ２の回路に静電容量が加算されることを防止するため、放熱部材３２のフィンの下端部とベース板５との距離、あるいは底面６ａまでの距離は、１５〜２０ｍｍ程度確保されている。これによれば、高周波電圧が筺体４（グランド電位）との間でショートしてしまうことを防止することもできる。
【００３９】
また、図８に示すように平板状電極３の背面３ｃと放熱部材３２のアルミニウム板との間に円板状の絶縁部材３３を配置してもよい。絶縁部材３３としては、例えば、熱伝導率が高くて絶縁破壊電圧の大きな窒化アルミニウム板を用いることができる。平板状電極３と放熱部材３２とが直接接触する場合は放熱部材３２にも高圧の高周波電圧が印加されることになるため、絶縁部材３３を配置することによって、放熱部材３２に高周波電圧が印加されることを防止することができる。このときの放熱部材３２のフィンの下端部とベース板５との距離、あるいは底面６ａまでの距離も１５〜２０ｍｍ程度確保する。
【００４０】
また、本実施形態に係る発光装置１では、平面型ランプ２が円板状であったが、形状はこれに限られず、長方形などであってもよい。また、平面型ランプ２の気密容器２２は、出射光に対して透明な、一対の円板状のガラス基板を所定の間隔で向かい合わせて形成していたが、前面２２ｂ側のガラス基板のみを出射光に対して透明な材料で形成し、その他の構成部材は出射光に対して透明でない材料で形成してもよい。また、各電極を金属膜で形成した場合、その保護のために、給電に影響しない範囲内の厚さでＳｉＯ２膜を各電極の上に設けても良い。
【００４１】
また、本実施形態に係る発光装置１では、気密容器２２の背面２２ｃに平板状電極３を直接接触させ、平板状電極３を介して平面型ランプ２を棒状部材１６で支持する構成としているが、これに代えて、図９に示すように、気密容器２２の背面２２ｃの略全面に金属膜（不図示）を電極として蒸着し、金属膜を介して直接平面型ランプ２を棒状部材１６で支持する構成としてもよい。この場合は、気密容器２２の背面２２ｃの金属膜に配線１５が接続された金属板５５を貼り付け等で接触させることによって、金属膜に給電することができる。また、押圧部材は円環状の枠状部材に限らず、図１０に示すように、平面型ランプ２の縁部を局所的に押圧する複数の押圧片１９を用いても良い。
【図面の簡単な説明】
【００４２】
【図１】本発明の実施形態に係る発光装置の斜視図である。
【図２】図１に示す発光装置の分解斜視図である。
【図３】図２に示す支持部材の拡大斜視図である。
【図４】図１のIV−IV線に沿う断面図である。
【図５】本発明の実施形態に係る発光装置の回路構成を示す概略図である。
【図６】従来の発光装置の回路構成を示す概略図である。
【図７】変形例に係る発光装置の断面図である。
【図８】変形例に係る発光装置の断面図である。
【図９】変形例に係る発光装置の分解斜視図である。
【図１０】変形例に係る発光装置の分解斜視図である。
【符号の説明】
【００４３】
１…発光装置、２…平面型ランプ、２ｂ…前面、２ｃ…背面、３…平板状電極（背面側電極）、３ｃ…背面、４…筺体、６ａ…底面、８ａ…開口部、９…枠状部材（押圧部材）、１０…光通過電極（前面側電極）、１６，３１，３４…棒状部材、１９…押圧片（押圧部材）、２２…気密容器、２２ｂ…前面、２２ｃ…背面、３２…放熱部材、３３…絶縁部材。
【図１】
2010015825.tif 000003
【図２】
2010015825.tif 000004
【図３】
2010015825.tif 000005
【図４】
2010015825.tif 000006
【図５】
2010015825.tif 000007
【図６】
2010015825.tif 000008
【図７】
2010015825.tif 000009
【図８】
2010015825.tif 000010
【図９】
2010015825.tif 000011
【図１０】
2010015825.tif 000012